(57)【要約】【課題】  既設の部屋内に床の間を簡単に構築できるだけでなく、設置場所の変更も容易に行え、また用途の制限や、部屋の壁と掛け軸等とのミスマッチの問題も解消でき、しかも、設置後に部屋の使用スペースが不要に削られて部屋の使い勝手が損なわれることもない床の間形成用パネルを提供すること【解決手段】  表面に化粧面が形成された壁パネル１と；この壁パネル１の下部に回動自在に連結された床パネル２とを含んで構成する一方、前記壁パネル１の表面下部に、折り畳んで閉じた床パネル２を収納可能な下段凹部11を設けると共に、この下段凹部11内に収納した床パネル２を脱着自在に固定するための床パネル固定機構Ｍを、壁パネル１及び床パネル２に設けて構成した。【選択図】  図１
2014224419.tif 000002
【特許請求の範囲】
【請求項１】
表面に化粧面が形成された壁パネル(１)と；この壁パネル(１)の下部に回動自在に連結された床パネル(２)とを含んで構成される一方、
前記壁パネル(１)の表面下部に、折り畳んで閉じた床パネル(２)を収納可能な下段凹部(11)が設けられると共に、この下段凹部(11)内に収納した床パネル(２)を脱着自在に固定するための床パネル固定機構(Ｍ)が、壁パネル(１)及び床パネル(２)に設けられていることを特徴とする床の間形成用パネル。
【請求項２】
壁パネル(１)の上下中間位置に、棚パネル(３)が回動自在に連結されると共に、壁パネル(１)の表面側に、折り畳んだ棚パネル(３)を収納可能な上段凹部(14)が設けられていることを特徴とする請求項１記載の床の間形成用パネル。
【請求項３】
床パネル(２)の底面に化粧面が形成されると共に、下段凹部(11)内に収納された床パネル(２)の底面と壁パネル(１)の表面がほゞ面一となるように、床パネル(２)が下段凹部(11)内に取り付けられていることを特徴とする請求項１または２に記載の床の間形成用パネル。
【請求項４】
壁パネル(１)および床パネル(２)に、床パネル(２)を下段凹部(11)内に収納した状態で脱着自在に固定するためのボールキャッチ式、玉締り式、またはマグネット式の床パネル固定機構(Ｍ)がそれぞれ設けられていることを特徴とする請求項１〜３の何れか一つに記載の床の間形成用パネル。
【請求項５】
壁パネル(１)の上部に、壁パネル(１)を床(Ｆ)と天井(Ｃ)間に突っ張った状態で固定するためのアジャストボルト(13)(13)が付設されていることを特徴とする請求項１〜４の何れか一つに記載の床の間形成用パネル。
【請求項６】
壁パネル(１)の下段凹部(11)内に、表側に回動させた床パネル(２)を壁パネル(１)に対して直角の位置で制止させるストッパー部(11a)が設けられていることを特徴とする請求項１〜５の何れか一つに記載の床の間形成用パネル。
【発明の詳細な説明】
【技術分野】
【０００１】
本発明は、床の間構造体の改良、詳しくは、部屋内に床の間を簡単に構築できるだけでなく、設置場所の変更も容易に行うことが可能で、しかも、部屋の壁と掛け軸等とのミスマッチも防止できる上に、設置した部屋の使い勝手が損なわれることもない床の間形成用パネルに関するものである。
【背景技術】
【０００２】
周知のとおり、伝統的な日本建築の特徴の一つである「床の間」は、座敷等の一角に設けられた生け花や観賞用の置き物、掛け軸等を飾る空間であり、日本人の美意識が強く現われる場所として現在でも一戸建て住宅の客間に採用されていることが多い。また、床の間は、入室者が安らげるゆとりのある空間を演出することもできる。
【０００３】
ところが、マンションやアパートでは、和室に広い空間を割くことが困難であるため、床の間を省略するケースも多い。そのため、空間的なゆとりに欠けるだけでなく、子供の教育上においても、床の間側を上座とする礼儀作法を躾けたり、床の間に飾る掛け軸や四季の生け花等によって子供の感性を育てたりすることが難しくなる。
【０００４】
また、定年退職後の高齢者が居住することを前提に販売されている高齢者向けマンション等において、日本人の精神性を表す床の間を和室から省略してしまうと、高齢者の心の拠り所がなくなって高齢者が心にゆとりのある生活を送り難くなるため、住み心地にも悪影響が出る。
【０００５】
そこで、従来においては、マンション等の室内に後付けで設置できるユニット式の床の間構造体(特許文献１参照)も提案されているが、文献１に記載されているような床パネルと柱材とから成る床の間構造体は、床の間を前提としていない部屋の壁を利用する必要があるため、壁の色や質感と掛け軸等とがミスマッチを起こし易い。
【０００６】
また他にも、組立て式の床の間構造体も公知となっているが(特許文献２,３参照)、文献２に記載されているような三角柱状の床の間構造体では、床パネルや棚パネルに生け花や置き物を配置して飾ることはできるものの、壁パネルに掛け軸を正面向きに飾ることができないため、床の間の使用方法が限定されてしまう。
【０００７】
そしてまた、文献３に記載されているようなボックス状の床の間構造体に関しても、床パネル、天井パネル、及び側壁パネルを組み立てる作業(又は分解する作業)が困難で危険が伴う上に、パネルや連結部材等の構成部品の数が増えて持ち運びも大変になるため、床の間構造体を設置する場所を気軽に変更できないという問題がある。
【０００８】
また更に、上記ボックス状の床の間構造体は、設置スペースが大きくなり易いため、部屋の使用スペースが大きく削られて、入室者が逆に息苦しさを感じ易い。加えて、部屋をできるだけ広く使いたい場合(寝室として利用する場合等)でも、従来の床の間構造体は簡単に片付けることができないため、部屋の使い勝手も悪くなる。
【先行技術文献】
【特許文献】
【０００９】
【特許文献１】特開２００７−４６２８４号公報
【特許文献２】特開２００１−２０７６３４号公報
【特許文献３】特開平９−３０２９６０号公報
【発明の開示】
【発明が解決しようとする課題】
【００１０】
本発明は、上記の如き問題に鑑みて為されたものであり、その目的とするところは、既設の部屋内に床の間を簡単に構築できるだけでなく、設置場所の変更も容易に行え、また用途の制限や、部屋の壁と掛け軸等とのミスマッチの問題も解消でき、しかも、設置後に部屋の使用スペースが不要に削られて部屋の使い勝手が損なわれることもない床の間形成用パネルを提供することにある。
【課題を解決するための手段】
【００１１】
本発明者が上記課題を解決するために採用した手段を添付図面を参照して説明すれば次のとおりである。
【００１２】
即ち、本発明は、表面に化粧面が形成された壁パネル１と；この壁パネル１の下部に回動自在に連結された床パネル２とを含んで構成する一方、
前記壁パネル１の表面下部に、折り畳んで閉じた床パネル２を収納可能な下段凹部11を設けると共に、この下段凹部11内に収納した床パネル２を脱着自在に固定するための床パネル固定機構Ｍを、壁パネル１及び床パネル２に設けた点に特徴がある。
【００１３】
また、上記壁パネル１の上下中間位置に、棚パネル３を回動自在に連結すると共に、壁パネル１の表面側に、折り畳んだ棚パネル３を収納可能な上段凹部14を設けることで、棚パネル３に生け花や置き物等を飾って使用することもできる。
【００１４】
また更に、上記床パネル２の底面に化粧面を形成すると共に、下段凹部11内に収納された床パネル２の底面と壁パネル１の表面がほゞ面一となるように、下段凹部11内に床パネル２を取り付ければ、床パネル２を収納した状態で化粧壁パネルとして使用することもできる。
【００１５】
そしてまた、上記壁パネル１及び床パネル２に設ける、床パネル２を下段凹部11内に収納した状態で脱着自在に固定するための床パネル固定機構Ｍについては、ボールキャッチ式、玉締り式、またはマグネット式のものを採用することができる。
【００１６】
そして更に、上記壁パネル１の上部に、壁パネル１を床Ｆと天井Ｃ間に突っ張った状態で固定するためのアジャストボルト13・13を付設すれば、壁パネル１の設置作業をより簡単に行えるようになる。
【００１７】
また、上記壁パネル１の下段凹部11内に、表側に回動させた床パネル２を壁パネル１に対して直角の位置で制止させるストッパー部11aを設ければ、床パネル２の角度を水平に維持することができる。
【発明の効果】
【００１８】
本発明では、表面側に化粧面が形成された壁パネルの下部に、床パネルを折畳み自在に連結して床の間形成用パネルを構成したことにより、壁パネルを埋設や固定によって内壁に沿って設置するだけで、掛け軸等や置き物、生け花等を飾ってゆとりのある空間を演出できる床の間を好きな場所に構築することが可能となる。
【００１９】
しかも、本発明では、側壁パネルや天井パネル等を使用していないため、設置スペースが大きくなり過ぎて部屋の使用スペースが不要に限定されることもない。また、地震等が起きた際に使用者がパネルの下敷きになる心配も軽減できる。そして更に、壁パネルには化粧面を形成しているため、掛け軸と部屋の壁とのミスマッチも解消できる。
【００２０】
また、本発明の床の間形成用パネルは、内壁に埋め込んで設置するだけでなく、壁パネルにアジャストボルトを付設することで、マンション等の既設の部屋内にも簡単に設置することができるため、床の間が省略されることの多いマンション等でも、床の間の恩恵を手軽に受けることができるようになる。
【００２１】
また更に、本発明では、上記壁パネルの表面下部に凹部を形成して、この凹部内に床パネルを収納した状態で脱着自在に固定できるように壁パネルと床パネルに脱着機構を設けているため、部屋を広く使いたいときには、床パネルを凹部内に一旦収納して部屋の使用スペースを広げることもできる。
【００２２】
そしてまた、本発明に係る床の間形成用パネルは、床パネルを折り畳んだコンパクトな形態で持ち運びも容易に行えるため、設置場所の変更や搬送も容易に行える。また本発明では、壁パネルを部屋の内壁と平行に配置して使用するため、正面を向けて掛け軸を飾ることができ、床の間の使用方法が限定されることもない。
【００２３】
したがって、本発明により、マンション等の比較的狭い部屋であっても床の間の空間を十分に楽しむことができ、また設置により部屋の使い勝手が損なわれる心配もなく、しかも、構造も簡単で製造コストも低廉な床の間形成用パネルを提供できることから、本発明の実用的利用価値は頗る高い。
【図面の簡単な説明】
【００２４】
【図１】本発明の実施例１における床の間形成用パネルを表わす全体斜視図である。
【図２】本発明の実施例１における床の間形成用パネルを表わす全体正面図及びＸ-Ｘ’端面図である。
【図３】本発明の実施例１における床パネルの開閉構造を表わす拡大端面図である。
【図４】本発明の実施例１における床の間形成用パネルの使用状態を表わす状態説明図である。
【図５】本発明の実施例１における床の間形成用パネルの取付け状態を表わす状態説明図である。
【図６】本発明の実施例１における床の間形成用パネルの他の使用状態を表わす状態説明図である。
【図７】本発明の実施例２における床の間形成用パネルを表わす全体正面図である。
【図８】本発明の実施例２における床の間形成用パネルの使用状態を表わす状態説明図である。
【図９】本発明の実施例２における床の間形成用パネルの他の使用状態を表わす状態説明図である。
【図１０】本発明の実施例３における床の間形成用パネルを表わす全体正面図および背面図である。
【図１１】本発明の実施例３における床の間形成用パネルの構造を表わす断面図である。
【図１２】本発明の変形例における床の間形成用パネルを表わす全体正面図である。
【発明を実施するための形態】
【００２５】
『実施例１』
まず本発明の実施例１について、図１から図６に基いて説明する。同図において、符号１で指示するものは、壁パネルであり、符号２で指示するものは、床パネルである。また符号３で指示するものは、棚パネルである。
【００２６】
［床の間形成用パネルの構成］
この実施例１では、縦長の形状で、かつ、表面に化粧面が形成された壁パネル１の下部に、上面に化粧面が形成された床パネル２を回動自在に連結して床の間形成用パネルＰを構成している(図１参照)。また、壁パネル１の表面下部には、折り畳んだ床パネル２を収納するための下段凹部11を形成している。
【００２７】
なお本実施例では、上記壁パネル１と床パネル２をどちらも木材から作製している。また、上記壁パネル１については、図２に示すように内側に桟材を有する矩形枠体の両側にベニヤ板を張って作製すると共に、床パネル２を開いたときに見える下段凹部11の底面にも化粧面を有するベニヤ板を張り付けて構成している。
【００２８】
一方、上記床パネル２については、両側の軸部21・21を壁パネル１の下段凹部11内に設けた枢支部に取り付けて連結している。また、上記壁パネル１の下段凹部11内には、図３に示すように、表側に回動させた床パネル２を壁パネル１に対して直角の位置で制止可能なストッパー部11aを設けて、床パネル２を水平な状態で維持できるようにしている。
【００２９】
そして更に、上記壁パネル１及び床パネル２には、床パネル２を下段凹部11内に収納した状態で脱着自在に固定するための床パネル固定機構Ｍとして、壁パネル１の下段凹部11の底面と、床パネル２の上面に、それぞれマグネット12・22を埋設している。これにより、マグネット12・22同士を磁着させた状態で床パネル２を下段凹部11内に固定することができる。
【００３０】
そして、上記構成から成る床の間形成用パネルＰを室内の壁Ｗに沿って固定すれば、図４に示すように、壁パネル１にフック材を取着して掛け軸を飾ったり、床パネル２上に置き物や生け花を載せて飾ったりすることができるため、室内に簡易な床の間を形成してゆとりのある空間を演出することができる。
【００３１】
また本実施例では、図５に示すように、壁パネル１を床Ｆと天井Ｃ間に突っ張った状態で固定できるアジャストボルト13・13を壁パネル１の上部に付設しているため、床の間形成用パネルＰを壁Ｗに沿って立てた後、アジャストボルト13・13の長さを調節するだけで簡単に設置作業を行うことができる。
【００３２】
そしてまた、本実施例では、上記床パネル２の裏面23にも化粧面を形成し、更に下段凹部11内に収納された床パネル２の底面と壁パネル１の表面がほゞ面一となるように、下段凹部11の深さに合う厚さで床パネル２を作製しているため、図６に示すように、床パネル２を収納した状態で化粧壁パネルとしても使用することができる。
【００３３】
なお、床パネル２の底面と壁パネル１の表面がほゞ面一となるように床パネル２を下段凹部11内に取り付ける方法としては、本実施例のように床パネル２の厚さを下段凹部11の深さに合わせる方法だけでなく、持出し金具等を利用して床パネル２の取り付け位置を調節する方法も採用できる。
【００３４】
『実施例２』
次に本発明の実施例２について、図７〜図９に基いて説明する。この実施例２では、壁パネル１の上下中間位置に、床パネル２よりも幅が小さく、かつ、上面に化粧面が形成された棚パネル３を軸部31・31を枢支して回動自在に連結すると共に、壁パネル１の表面側に、折り畳んだ棚パネル３を収納可能な上段凹部14を設けて構成している(図７参照)。
【００３５】
また、上記壁パネル１の上段凹部14の底面と、棚パネル３の上面にも、マグネット式の脱着機構を設けている。これにより、図８に示すように、棚パネル３上にも生け花や置き物等を飾って使用することができ。また棚パネル３の裏面32に化粧面を形成しておけば、掛け軸等を飾るときに棚パネル３を収納して使用することもできる。
【００３６】
また更に、上記壁パネル１の下段凹部11や上段凹部14の底面に合わせた大きさの化粧ボードＢ(本実施例では、プラスチック製の薄板)を用意しておけば、図９(a)及び(b)に示すように、化粧ボードＢを下段凹部11や上段凹部14に嵌め込むことで、開いた状態の床パネル２と棚パネル３のバックの色を自由に変更することもできる。
【００３７】
『実施例３』
次に本発明の実施例３について、図１０及び図１１に基いて説明する。この実施例３では、壁パネル１の表面側に床パネル２を回動自在に取り付ける一方、壁パネル１の背面側には棚パネル３を回動自在に取り付けて、床の間形成用パネルＰをリバーシブルで使用できるようにしている(図１０参照)。
【００３８】
これにより、床の間形成用パネルＰを棚としても使用することができる。なお、図１１に示すように、壁パネル１の下段凹部11と上段凹部14は、高さが異なる位置に形成されるため、壁パネル１の表裏両面に床パネル２と棚パネル３を取り付けたとしても、壁パネル１の厚みを２倍にする必要はない。
【００３９】
本発明は、概ね上記のように構成されるが、本発明は図示の実施形態に限定されるものでは決してなく、「特許請求の範囲」の記載内において種々の変更が可能であって、例えば、壁パネル１や床パネル２、棚パネル３の材質については、木製である必要はなくプラスチック材料や金属材料、材質の異なる板材を積層した複合材料から作製してもよい。
【００４０】
また、壁パネル１や床パネル２、棚パネル３の化粧面の形成方法については、化粧合板を使用する方法や、化粧フィルムやクロスを貼り付ける方法、塗装(カシュウ塗りを含む)や漆塗りを行う方法から選択して採用することができる。また図１２(a)に示すように、壁パネル１の表面に彫刻や穿設を行って立体的な模様Ｄを形成することもできる。
【００４１】
また更に、床の間形成用パネルＰの壁パネル１を部屋の壁Ｗに沿って設置する方法に関しても、一戸建て住宅等で使用する場合には、壁Ｗの中に埋め込んで先に据え付けることもでき、またマンション等で使用する場合には、アジャストボルト以外のハンギングレールや接着等の固定手段によって後から据え付けることもできる。
【００４２】
そしてまた、図１２(b)に示すように、壁パネル１の底部にアジャストボルト13’・13’を設ければ、床の間形成用パネルＰを設置する床に傾斜や凹凸等の不陸がある場合でも、アジャストボルト13’・13’を床面に接地させて壁パネル１を安定した状態で取り付けることができる。
【００４３】
また、上記壁パネル１と、床パネル２または棚パネル３との連結方法に関しても、床パネル２や棚パネル３の両側でなく下側でヒンジ連結することもできる。また、床パネル２や棚パネル３を開いたときのストッパー機能に関しても、ダウンステー等を用いて床パネル２や棚パネル３を水平に維持することもできる。
【００４４】
そしてまた、上記床パネル２や棚パネル３を、下段凹部11や上段凹部14に収納した状態で脱着自在に固定する床パネル固定機構Ｍに関しても、マグネット式以外のボールプランジャ型の雄金具と孔が空いた受け金具とから成る玉締り式の脱着機構や、Ｔ型の雄金具とボールプランジャ型の部材が向かい合って並んだ受け金具とから成るボールキャッチ式の脱着機構を採用することもできる。
【００４５】
また、上記壁パネル１には、複数の棚パネル３・３…を取り付けることもでき、その場合には、各棚パネル３の位置や大きさに応じて棚パネル３を収納するための上段凹部を形成することができ、上記何れのものも本発明の技術的範囲に属する。
【産業上の利用可能性】
【００４６】
近年、生活の質を向上する上で、ゆとりや遊び心、人と人との絆を重視する日本的な生活空間を求める声が高まっている。また床の間のある生活は、子供たちの道徳や感性を育む上でも大きく貢献できる。そのような中で、本発明の床の間形成用パネルは、床の間を簡単に構築できるだけでなく、部屋の使い勝手も損なわない有用な技術であることから、その産業上の利用価値は非常に高い。
【符号の説明】
【００４７】
１  壁パネル
11  下段凹部
11a  ストッパー部
12  マグネット
13  アジャストボルト
14  上段凹部
２  床パネル
21  軸部
22  マグネット
23  裏面
３  棚パネル
31  軸部
32  裏面
Ｐ  床の間形成用パネル
Ｍ  床パネル固定機構
Ｗ  壁
Ｆ  床
Ｃ  天井
Ｂ  化粧ボード
Ｄ  模様
【図１】
2014224419.tif 000003
【図２】
2014224419.tif 000004
【図３】
2014224419.tif 000005
【図４】
2014224419.tif 000006
【図５】
2014224419.tif 000007
【図６】
2014224419.tif 000008
【図７】
2014224419.tif 000009
【図８】
2014224419.tif 000010
【図９】
2014224419.tif 000011
【図１０】
2014224419.tif 000012
【図１１】
2014224419.tif 000013
【図１２】
2014224419.tif 000014